(57)【要約】【課題】コネクタ本体と電源基板の固定と電気的接続を簡単な構成で行なうことができる電動駆動装置及び電動パワーステアリング装置を提供する。【解決手段】電源に接続された挿通孔３８を有するコネクタ板３６をコネクタ本体３２に設けると共に、電源回路に接続される電源配線４１を備え、かつ電源配線４１の近傍に導通用固定ねじ２４が挿通する挿通孔２５を電源回路基板１８Ｓに形成し、コネクタ板３６と電源回路基板１８Ｓの挿通孔３８、２５に導通用固定ねじ２４を挿通してねじ止めすることで、導通用固定ねじ２４を介して電源配線４１とコネクタ板３６を電気的に接続すると共に、導通用固定ねじ２４によってコネクタ本体３６と電源回路基板１８Ｓを固定する。コネクタ本体と電源回路基板との固定と電気的接続を行うための構成部品を削減でき、また、製造工程の工数も低減できるので、製品コストを下げることができる。【選択図】図２
2020005480.tif 000002
【特許請求の範囲】
【請求項１】
機械系制御要素を駆動する電動モータと、前記電動モータが収納されたモータハウジングと、前記電動モータの回転軸の出力部とは反対側の前記モータハウジングの端面壁部の側に配置された、前記電動モータを駆動するための電子制御部とを備えた電動駆動装置であって、
前記電子制御部が、電源の生成を主たる機能とする電源回路部と、前記電動モータの駆動を主たる機能とする電力変換回路部と、前記電力変換回路部の制御を主たる機能とする制御回路部とから構成され、
少なくとも、前記電源回路部が搭載された電源回路基板には、合成樹脂からなるコネクタ本体に設けた電源側コネクタ端子から電力が供給されると共に、
電源に接続された前記電源側コネクタ端子を構成し、挿通孔を有するコネクタ板が前記コネクタ本体に設けられ、
前記電源回路基板には、前記電源回路部に接続される電源配線と、前記電源配線の近傍に挿通孔が設けられ、
前記コネクタ板と前記電源回路基板の前記挿通孔に導通用固定部材を挿通して前記コネクタ板と前記電源回路基板とを固定することで、前記導通用固定部材を介して前記電源配線と前記コネクタ板を電気的に接続すると共に、前記導通用固定部材によって前記コネクタ本体と前記電源回路基板を固定する
ことを特徴とする電動駆動装置。
【請求項２】
機械系制御要素を駆動する電動モータと、前記電動モータが収納されたモータハウジングと、前記電動モータの回転軸の出力部とは反対側の前記モータハウジングの端面壁部の側に配置された、前記電動モータを駆動するための電子制御部とを備えた電動駆動装置であって、
前記電子制御部が、電源の生成を主たる機能とする電源回路部が搭載された電源回路基板と、前記電動モータの駆動を主たる機能とする電力変換回路部が搭載された電力変換回路基板と、前記電力変換回路部の制御を主たる機能とする制御回路部が搭載された制御回路基板とから構成され、
少なくとも、前記電源回路部が搭載された前記電源回路基板には、合成樹脂からなるコネクタ本体に設けた電源側コネクタ端子から電力が供給されると共に、
電源に接続された前記電源側コネクタ端子を構成し、挿通孔を有するコネクタ板が前記コネクタ本体に設けられ、
前記電源回路基板には、前記電源回路部に接続される電源配線と、前記電源配線の近傍に挿通孔が設けられ、
前記電源回路基板の前記挿通孔に導通用固定部材を挿通して、前記導通用固定部材の先端を前記コネクタ板の前記挿通孔に固定することで、前記導通用固定部材の頭部と前記電源配線を電気的に接続し、更に前記導通用固定部材の先端と前記コネクタ板を電気的に接続すると共に、前記導通用固定部材によって前記コネクタ本体と前記電源回路基板を相互に固定する
ことを特徴とする電動駆動装置。
【請求項３】
機械系制御要素を駆動する電動モータと、前記電動モータが収納されたモータハウジングと、前記電動モータの回転軸の出力部とは反対側の前記モータハウジングの端面壁部の側に配置された、前記電動モータを駆動するための電子制御部とを備えた電動駆動装置であって、
前記電子制御部が、電源の生成を主たる機能とする電源回路部が搭載された電源回路基板と、前記電動モータの駆動を主たる機能とする電力変換回路部が搭載された電力変換回路基板と、前記電力変換回路部の制御を主たる機能とする制御回路部が搭載された制御回路基板とから構成され、
少なくとも、前記電源回路部が搭載された前記電源回路基板には、合成樹脂からなるコネクタ本体に設けた電源側コネクタ端子から電力が供給されると共に、
電源に接続された前記電源側コネクタ端子を構成し、挿通孔を有するコネクタ板が前記コネクタ本体に設けられ、
前記電源回路基板には、前記電源回路部に接続される電源配線と、前記電源配線の近傍に挿通孔が設けられ、
前記コネクタ板の前記挿通孔に導通用固定部材を挿通して、前記導通用固定部材の先端を前記電源回路基板の前記挿通孔に固定することで、前記導通用固定部材の頭部と前記コネクタ板を電気的に接続し、更に前記導通用固定部材の先端と前記電源配線を電気的に接続すると共に、前記導通用固定部材によって前記コネクタ本体と前記電源回路基板を相互に固定する
ことを特徴とする電動駆動装置。
【請求項４】
請求項２或いは請求項３に記載の電動駆動装置において、
前記電源回路基板、前記電力変換回路基板、及び前記制御回路基板は積層されて配置されており、
前記電力変換回路基板は、前記モータハウジングの前記端面壁部に配置されると共に、前記電源回路基板と前記制御回路基板の間には中間支持体が配置され、前記中間支持体の一方の面に前記電源回路基板が固定され、前記中間支持体の他方の面に前記制御回路基板が固定され、
前記中間支持体の内部に形成された空間に、前記電源回路基板に搭載された前記電源回路部の構成部品が収納されている
ことを特徴とする電動駆動装置。
【請求項５】
請求項２或いは請求項３に記載の電動駆動装置において、
前記電源回路基板、前記電力変換回路基板、前記制御回路基板、及び前記コネクタ本体は積層されて配置されており、
前記電力変換回路基板は、前記モータハウジングの前記端面壁部に配置されると共に、前記電源回路基板と前記制御回路基板の間には中間支持体が配置され、前記中間支持体の一方の面に前記電源回路基板が固定され、前記中間支持体の他方の面に前記制御回路基板が固定され、
前記中間支持体の内部に形成された空間に、前記電源回路基板に搭載された前記電源回路部の構成部品が収納され、
前記導通用固定部材によって、前記電源回路基板、前記中間支持体、及び前記コネクタ本体が一体的に固定され、前記中間支持体と前記制御回路基板は他の固定部材によって固定されている
ことを特徴とする電動駆動装置。
【請求項６】
請求項２或いは請求項３に記載の電動駆動装置において、
前記コネクタ本体は合成樹脂で形成されていると共に、前記コネクタ板の一部が露出されて前記合成樹脂に埋設されており、前記コネクタ板の前記挿通孔は、露出された部分に形成されている
ことを特徴とする電動駆動装置。
【請求項７】
請求項２或いは請求項３に記載の電動駆動装置において、
前記導通用固定部材は、ねじ切りができる固定ねじであり、前記導通用固定部材の先端で前記挿通孔にねじ切りしてねじ止めされている
ことを特徴とする電動駆動装置。
【請求項８】
請求項５に記載の電動駆動装置において、
前記中間支持体には固定部が形成されており、前記固定部は前記モータハウジングの前記端面壁部に固定されている
ことを特徴とする電動駆動装置。
【請求項９】
請求項８に記載の電動駆動装置において、
前記モータハウジングの前記端面壁部には、前記端面壁部から遠ざかる方向に延びた突出固定部が形成され、前記突出固定部に前記中間支持体の前記固定部が固定されている
ことを特徴とする電動駆動装置。
【請求項１０】
ステアリングシャフトの回動方向と回動トルクとを検出するトルクセンサからの出力に基づきステアリングシャフトに操舵補助力を付与する電動モータと、前記電動モータが収納されたモータハウジングと、前記電動モータの回転軸の出力部とは反対側の前記モータハウジングの端面壁の側に配置された、前記電動モータを駆動するための電子制御部と、前記電子制御部を覆うカバーと、を備えた電動パワーステアリング装置であって、
前記電子制御部が、電源の生成を主たる機能とする電源回路部と、前記電動モータの駆動を主たる機能とする電力変換回路部と、前記電力変換回路部の制御を主たる機能とする制御回路部とから構成され、
少なくとも、前記電源回路部が搭載された電源回路基板には、合成樹脂からなるコネクタ本体に設けた電源側コネクタ端子から電力が供給されると共に、
電源に接続された前記電源側コネクタ端子を構成し、挿通孔を有するコネクタ板が前記コネクタ本体に設けられ、
前記電源回路基板には、前記電源回路部に接続される電源配線と、前記電源配線の近傍に挿通孔が設けられ、
前記コネクタ板と前記電源回路基板の前記挿通孔に導通用固定部材を挿通して前記コネクタ板と前記電源回路基板とを固定することで、前記導通用固定部材を介して前記電源配線と前記コネクタ板を電気的に接続すると共に、前記導通用固定部材によって前記コネクタ本体と前記電源回路基板を固定する
ことを特徴とする電動パワーステアリング装置。
【請求項１１】
機械系制御要素を駆動する電動モータと、前記電動モータが収納されたモータハウジングと、前記電動モータの回転軸の出力部とは反対側の前記モータハウジングの端面壁部の側に配置された、前記電動モータを駆動するための電子制御部とを備えた電動パワーステアリング装置であって、
前記電子制御部が、電源の生成を主たる機能とする電源回路部が搭載された電源回路基板と、前記電動モータの駆動を主たる機能とする電力変換回路部が搭載された電力変換回路基板と、前記電力変換回路部の制御を主たる機能とする制御回路部が搭載された制御回路基板とから構成され、
少なくとも、前記電源回路部が搭載された前記電源回路基板には、合成樹脂からなるコネクタ本体に設けた電源側コネクタ端子から電力が供給されると共に、
電源に接続された前記電源側コネクタ端子を構成し、挿通孔を有するコネクタ板が前記コネクタ本体に設けられ、
前記電源回路基板には、前記電源回路部に接続される電源配線と、前記電源配線の近傍に挿通孔が設けられ、
前記電源回路基板の前記挿通孔に導通用固定部材を挿通して、前記導通用固定部材の先端を前記コネクタ板の前記挿通孔に固定することで、前記導通用固定部材の頭部と前記電源配線を電気的に接続し、更に前記導通用固定部材の先端と前記コネクタ板を電気的に接続すると共に、前記導通用固定部材によって前記コネクタ本体と前記電源回路基板を相互に固定する
ことを特徴とする電動パワーステアリング装置。
【請求項１２】
機械系制御要素を駆動する電動モータと、前記電動モータが収納されたモータハウジングと、前記電動モータの回転軸の出力部とは反対側の前記モータハウジングの端面壁部の側に配置された、前記電動モータを駆動するための電子制御部とを備えた電動パワーステアリング装置であって、
前記電子制御部が、電源の生成を主たる機能とする電源回路部が搭載された電源回路基板と、前記電動モータの駆動を主たる機能とする電力変換回路部が搭載された電力変換回路基板と、前記電力変換回路部の制御を主たる機能とする制御回路部が搭載された制御回路基板とから構成され、
少なくとも、前記電源回路部が搭載された前記電源回路基板には、合成樹脂からなるコネクタ本体に設けた電源側コネクタ端子から電力が供給されると共に、
電源に接続された前記電源側コネクタ端子を構成し、挿通孔を有するコネクタ板が前記コネクタ本体に設けられ、
前記電源回路基板には、前記電源回路部に接続される電源配線と、前記電源配線の近傍に挿通孔が設けられ、
前記コネクタ板の前記挿通孔に導通用固定部材を挿通して、前記導通用固定部材の先端を前記電源回路基板の前記挿通孔に固定することで、前記導通用固定部材の頭部と前記コネクタ板を電気的に接続し、更に前記導通用固定部材の先端と前記電源配線を電気的に接続すると共に、前記導通用固定部材によって前記コネクタ本体と前記電源回路基板を相互に固定する
ことを特徴とする電動パワーステアリング装置。
【請求項１３】
請求項１１或いは請求項１２に記載の電動パワーステアリング装置において、
前記電源回路基板、前記電力変換回路基板、及び前記制御回路基板は積層されて配置されており、
前記電力変換回路基板は、前記モータハウジングの前記端面壁部に配置されると共に、前記電源回路基板と前記制御回路基板の間には中間支持体が配置されて、前記中間支持体の一方の面に前記電源回路基板が固定され、前記中間支持体の他方の面に前記制御回路基板が固定され、
前記中間支持体の内部に形成された空間に、前記電源回路基板に搭載された前記電源回路部の構成部品が収納されている
ことを特徴とする電動パワーステアリング装置。
【請求項１４】
請求項１１或いは請求項１２に記載の電動パワーステアリング装置において、
前記電源回路基板、前記電力変換回路基板、前記制御回路基板、及び前記コネクタ本体は積層されて配置されており、
前記電力変換回路基板は、前記モータハウジングの前記端面壁部に配置されると共に、前記電源回路基板と前記制御回路基板の間には中間支持体が配置されて、前記中間支持体の一方の面に前記電源回路基板が固定され、前記中間支持体の他方の面に前記制御回路基板が固定され、
前記中間支持体の内部に形成された空間に、前記電源回路基板に搭載された前記電源回路部の構成部品が収納され、
前記導通用固定部材によって、前記電源回路基板、前記中間支持体、及び前記コネクタ本体が一体的に固定され、前記中間支持体と前記制御回路基板は他の固定部材によって固定されている
ことを特徴とする電動パワーステアリング装置。
【請求項１５】
請求項１１或いは請求項１２に記載の電動パワーステアリング装置において、
前記コネクタ本体は合成樹脂で形成されていると共に、前記コネクタ板の一部が露出されて前記合成樹脂に埋設されており、前記コネクタ板の前記挿通孔は、露出された部分に形成されている
ことを特徴とする電動パワーステアリング装置。
【請求項１６】
請求項１１或いは請求項１２に記載の電動パワーステアリング装置において、
前記導通用固定部材は、ねじ切りができる固定ねじであり、前記導通用固定部材の先端で前記挿通孔にねじ切りしてねじ止めされている
ことを特徴とする電動パワーステアリング装置。
【請求項１７】
請求項１４に記載の電動パワーステアリング装置において、
前記中間支持体には固定部が形成されており、前記固定部は前記モータハウジングの前記端面壁部に固定されている
ことを特徴とする電動パワーステアリング装置。
【請求項１８】
請求項１７に記載の電動パワーステアリング装置において、
前記モータハウジングの前記端面壁部には、前記端面壁部から遠ざかる方向に延びた突出固定部が形成され、前記突出固定部に前記中間支持体の前記固定部が固定されている
ことを特徴とする電動パワーステアリング装置。
【発明の詳細な説明】
【技術分野】
【０００１】
本発明は電動駆動装置及び電動パワーステアリング装置に係り、特に電子制御部を内蔵した電動駆動装置及び電動パワーステアリング装置に関するものである。
【背景技術】
【０００２】
一般的な産業機械分野においては、電動モータによって機械系制御要素を駆動することが行われているが、最近では電動モータの回転速度や回転トルクを制御する半導体素子等からなる電子制御部を電動モータに一体的に組み込む、いわゆる機電一体型の電動駆動装置が採用され始めている。
【０００３】
機電一体型の電動駆動装置の例として、例えば自動車の電動パワーステアリング装置においては、運転者がステアリングホィールを操作することにより回動するステアリングシャフトの回動方向と回動トルクとを検出し、この検出値に基づいてステアリングシャフトの回動方向と同じ方向へ回動するように電動モータを駆動し、操舵アシストトルクを発生させるように構成されている。この電動モータを制御するため、電子制御部（ＥＣＵ：Ｅｌｅｃｔｒｏｎｉｃ Ｃｏｎｔｒｏｌ Ｕｎｉｔ）がパワーステアリング装置に設けられている。
【０００４】
従来の電動パワーステアリング装置としては、例えば、特開２０１６−１４４３８０号公報（特許文献１）に記載のものが知られている。特許文献１には、電動モータ部と電子制御部とにより構成された電動パワーステアリング装置が記載されている。そして、電動モータ部の電動モータは、アルミ合金等から作られた筒部を有するモータハウジングに形成された収納空間に収納され、電子制御部の電子部品が実装された基板は、モータハウジングの軸方向の出力軸とは反対側の端面壁部に、合成樹脂製、或いは金属製のカバーによって形成された収納空間に収納されている。
【０００５】
モータハウジングの端面壁部に取り付けられる電子制御部の基板は、電動モータを駆動制御するＭＯＳＦＥＴ、或いはＩＧＢＴ等のようなパワースイッチング素子を有する電力変換回路部、電源回路部、及びパワースイッチング素子を制御する制御回路部を備え、パワースイッチング素子の出力端子と電動モータの入力端子とはバスバーを介して電気的に接続されている。
【０００６】
そして、電子制御部には、合成樹脂からなるコネクタ本体を介して電源から電力が供給され、また検出センサ類から運転状態等の検出信号が供給されている。コネクタ本体はカバーと一体的に形成されて蓋体として機能しており、電子制御部を密閉して塞ぐように接着剤によって端面壁部の外周表面に固定されている。また、コネクタ本体とカバーを別体に形成し、コネクタ本体をカバーで覆う形態とされている場合もある。
【０００７】
尚、この他に電子制御部を一体化した電動駆動装置としては、電動ブレーキや各種油圧制御用の電動油圧制御器等が知られているが、以下の説明では代表して電動パワーステアリング装置について説明する。
【先行技術文献】
【特許文献】
【０００８】
【特許文献１】特開２０１６−１４４３８０号公報
【発明の概要】
【発明が解決しようとする課題】
【０００９】
ここで、特許文献１にあるような構成の電動パワーステアリング装置においては、コネクタにインサートモールドされた金属製の電源コネクタ端子は電源(バッテリ)と接続コードを介して接続されている。そして、この電源コネクタ端子の先端は、電源回路基板に固定されたプレスフィット型接続端子に挿入されて電気的な接続が行われている。
【００１０】
プレスフィット型接続端子は、平板状の金属片の両端を向かい合うように折り曲げ、この折り曲げ片に弾性を付与することで、電源コネクタ端子の先端を弾性的に挟持する。更に、電源回路基板は、固定ねじによってコネクタ本体にねじ止め固定されている。
【００１１】
このように、特許文献１においては、電源回路基板とコネクタ本体の固定は、固定ねじによって行われ、電気的な接続は電源コネクタ端子とプレスフィット型接続端子で行っている。尚、プレスフィット型接続端子は、電源回路基板に形成されたプリント配線にリフロープロセスによってハンダ付けされている。したがって、コネクタ本体と電源基板の固定と電気的接続を行うための構成部品が多くなり、また製造工程の工数も増えて、結果的に製品コストを高騰させるという課題がある。
【００１２】
本発明の目的は、コネクタ本体と電源基板の固定と電気的接続を簡単な構成で行なうことができる新規な電動駆動装置及び電動パワーステアリング装置を提供することにある。
【課題を解決するための手段】
【００１３】
本発明の特徴は、電源に接続され挿通孔を有するコネクタ板をコネクタ本体に設けると共に、電源回路に接続される電源配線を備え、かつ電源配線の近傍に導通用固定ねじが挿通する挿通孔を電源回路基板に形成し、コネクタ板と電源回路基板の挿通孔に導通用固定部材を挿通して固定することで、導通用固定部材を介して電源配線とコネクタ板を電気的に接続すると共に、導通用固定部材によってコネクタ本体と電源回路基板を一体的に固定する、ところにある。
【発明の効果】
【００１４】
本発明によれば、導通用固定部材によって、電源回路基板の電源回路とコネクタ板を電気的に接続する共に、電源回路基板とコネクタ本体を一体的に固定できるので、コネクタ本体と電源回路基板の固定と電気的接続を行うための構成部品を削減でき、また、製造工程の工数も低減できるので、結果的に製品コストを下げることができる。
【図面の簡単な説明】
【００１５】
【図１】本発明が適用される一例としての操舵装置の全体斜視図である。
【図２】図１に示す電動パワーステアリング装置の電子制御部の分解斜視図である。
【図３】図２に示す電動パワーステアリング装置の電子制御部を組み上げた状態の斜視図である。
【図４】本発明の実施形態になる、コネクタ本体と電源回路基板を導通用固定ねじで固定した状態を示す断面図である。
【図５】本発明の他の実施形態になる、コネクタ本体と電源回路基板を導通用固定割りピンで固定した状態を示す断面図である。
【図６】本発明の他の実施形態になる、コネクタ本体と電源回路基板を導通用固定圧入ピンで固定した状態を示す断面図である。
【発明を実施するための形態】
【００１６】
以下、本発明の実施形態について図面を用いて詳細に説明するが、本発明は以下の実施形態に限定されることなく、本発明の技術的な概念の中で種々の変形例や応用例をもその範囲に含むものである。
【００１７】
本発明の実施形態を説明する前に、本発明が適用される一例としての操舵装置の構成について図１を用いて簡単に説明する。
【００１８】
まず、自動車の前輪を操舵するための操舵装置について説明する。操舵装置１は図１に示すように構成されている。図示しないステアリングホイールに連結されたステアリングシャフト２の下端には図示しないピニオンが設けられ、このピニオンは車体左右方向へ長いラック(図示せず)と噛み合っている。このラックの両端には前輪を左右方向へ操舵するためのタイロッド３が連結されており、ラックはラックハウジング４に覆われている。そして、ラックハウジング４とタイロッド３との間にはゴムブーツ５が設けられている。
【００１９】
ステアリングホイールを回動操作する際のトルクを補助するため、電動パワーステアリング装置６が設けられている。即ち、ステアリングシャフト２の回動方向と回動トルクとを検出するトルクセンサ７が設けられ、トルクセンサ７の検出値に基づいてラックにギヤ１０を介して操舵補助力を付与する電動モータ部８と、電動モータ部８に配置された電動モータを制御する電子制御部(ＥＣＵ)９とが設けられている。電動パワーステアリング装置６の電動モータ部８は、出力軸側の外周部の３箇所が、図示しないねじを介してギヤ１０に接続され、電動モータ８部の出力軸とは反対側に電子制御部９が設けられている。
【００２０】
電動パワーステアリング装置６においては、ステアリングホイールが操作されることによりステアリングシャフト２がいずれかの方向へ回動操作されると、このステアリングシャフト２の回動方向と回動トルクとをトルクセンサ７が検出し、この検出値に基づいて電子制御部９が電動モータの駆動操作量を演算する。この演算された駆動操作量に基づいて電子制御部９のパワースイッチング素子により電動モータが駆動され、電動モータの出力軸はステアリングシャフト２を操作方向と同じ方向へ駆動するように回動される。電動モータの出力軸の回動は、図示しないピニオンからギヤ１０を介して図示しないラックへ伝達され、自動車が操舵されるものである。これらの構成、作用は既によく知られているので、これ以上の説明は省略する。
【００２１】
繰り返しなるが、特許文献１にあるような構成の電動パワーステアリング装置においては、コネクタにインサートモールドされた金属製の電源コネクタ端子の１つは電源(バッテリ)と接続コードを介して接続されている。そして、この電源コネクタ端子の先端は、電源回路基板に固定されたプレスフィット型接続端子に挿入されて電気的な接続が行われている。更に、電源回路基板は、固定ねじによってコネクタ本体にねじ止めされている。
【００２２】
このように、特許文献１においては、電源回路基板とコネクタ本体の固定は、固定ねじによって行われ、電気的な接続は電源コネクタ端子とプレスフィット型接続端子で行っている。したがって、コネクタ本体と電源基板の固定と電気的接続を行うための構成部品が多くなり、また製造工程の工数も増えて、結果的に製品コストを高騰させるという課題がある。
【００２３】
このような背景から、本発明の実施形態では次のような構成の電動パワーステアリング装置を提案するものである。
【００２４】
本発明の実施形態においては、電源に接続され挿通孔を有するコネクタ板をコネクタ本体に設けると共に、電源回路に接続される電源配線を備え、かつ電源配線の近傍に導通用固定ねじが挿通する挿通孔を電源回路基板に形成し、コネクタ板と電源回路基板の挿通孔に導通用固定ねじを挿通してねじ止めすることで、導通用固定部材を介して電源配線とコネクタ板を電気的に接続すると共に、導通用固定部材によってコネクタ本体と電源回路基板を一体的に固定する構成としている。
【００２５】
好ましい実施形態の１つの例として、電源に接続され挿通孔を有するコネクタ板をコネクタ本体に設ける共に、電源回路に接続される電源配線を備え、かつ電源配線の近傍に導通用固定ねじが挿通する挿通孔を電源回路基板に形成し、電源回路基板の挿通孔からコネクタ板の挿通孔に向けて導通用固定部材を挿通することで、導通用固定部材の頭部と電源配線を電気的に接続し、更に導通用固定部材の先端をコネクタ板の挿通孔に差し込んで導通用固定部材とコネクタ板を電気的に接続すると共に、導通用固定部材によってコネクタ本体と電源回路基板を一体的に固定する構成としている。
【００２６】
好ましい実施形態の別の例として、電源に接続され挿通孔を有するコネクタ板をコネクタ本体に設ける共に、電源回路に接続される電源配線を備え、かつ電源配線の近傍に導通用固定部材が挿通する挿通孔を電源回路基板に形成し、コネクタ板の挿通孔から電源回路基板の挿通孔に向けて導通用固定部材を挿通することで、導通用固定部材の頭部とコネクタ板を電気的に接続し、更に導通用固定部材の先端を電源回路基板の挿通孔に差し込んで導通用固定部材と電源配線を電気的に接続すると共に、導通用固定部材によってコネクタ本体と電源回路基板を一体的に固定する構成としている。
【００２７】
このような本発明の実施形態によれば、導通用固定部材によって、電源回路基板の電源回路とコネクタ板を電気的に接続する共に、電源回路基板とコネクタ本体を一体的に固定できるので、コネクタ本体と電源回路基板の固定と電気的接続を行うための構成部品を削減でき、また、製造工程の工数も低減できるので、結果的に製品コストを下げることができる。
【００２８】
次に、本発明の実施形態になる電動パワーステアリング装置の具体的な構成について、図２乃至図４を用いて詳細に説明する。
【００２９】
図２は電動パワーステアリング装置の電子制御部を分解して斜めから見たものであり、図３は図２に示す電動パワーステアリング装置の電子制御部を組み上げて斜めから見たものであり、図４はコネクタ本体と電源回路基板を導通用固定ねじで固定した状態の断面を示している。
【００３０】
図２及び図３に示すように、電動パワーステアリング装置を構成する電動モータ部８は、アルミニウム、或いはアルミ合金等のアルミ系金属から作られた筒部を有するモータハウジング１１及びこれに収納された図示しない電動モータとから構成されている。電動モータは周知のように回転軸を備えており、この回転軸の出力部には図示しないピニオンが固定されてラックに回転運動を伝えている。回転軸の軸心とモータハウジングの軸心はほぼ一致しており、電動モータはモータハウジング１１内で回転することができる。
【００３１】
また、電子制御部９は、モータハウジング１１の軸方向の出力部とは反対側に配置されており、図示しない有底筒状(いわゆる、カップ状)のカバー(合成樹脂や金属で作られている)によって収納されるように覆われている。これによって、電子制御部９は液密構造となっている。またモータハウジング１１とは反対側には、コネクタ本体部１４が配置されている。
【００３２】
コネクタ本体部１４には、電源(バッテリ)に接続される電源側ソケット部と、舵角センサ等のセンサ類、或いはＣＡＮネットワークに接続されるセンサ/ネットワーク側ソケットとが形成されている。電源側ソケット部は対(２個)で設けられており、これらは冗長系のソケットとされている。冗長系については後述する。
【００３３】
次に図２、及び図３に基づいて電子制御部９の構成を説明する。図２、及び図３において、モータハウジング１１はアルミ合金から作られており、電動モータで発生した熱や、後述する電源回路部や電力変換回路部で発生した熱を外部大気に放出するヒートシンク部材として機能している。電動モータとモータハウジング１１で電動モータ部８を構成している。
【００３４】
電動モータ部８のピニオンの反対側のモータハウジング１１の端面壁部１５には、電子制御部９が取り付けられている。電子制御部９は、電力変換回路部を搭載した電力変換回路基板１６Ｓ、電源回路部を搭載した電源回路基板１７Ｓ、制御回路部を搭載した制御回路基板１８Ｓ、及びコネクタ本体部１４から構成されている。
【００３５】
そして、これらの夫々の回路基板１６Ｓ、１７Ｓ、１８Ｓは夫々が平行関係を有して積層された状態で組み立てられている。尚、電力変換回路基板１６Ｓ、電源回路基板１７Ｓ、制御回路基板１８Ｓには、夫々の回路部を構成する電子部品や電気部品はその表示を省略している。また、コネクタ本体部１４を構成する樹脂製のソケットもその表示を省略している。
【００３６】
また、モータハウジング１１の端面壁部１５は、モータハウジング１１と一体的に形成されているが、この他に端面壁部１５だけを別体に形成し、ねじや溶接によってモータハウジング１１と一体化しても良いものである。
【００３７】
ここで、電力変換回路部、電力変換回路部、制御回路部は冗長系を構成するものであり、第１電子制御部と第２電子制御部の二重系を構成している。そして、通常は第１電子制御部によって電動モータが制御、駆動されているが、第１電子制御部に異常や故障が生じると、第２電子制御部に切り換えられて電動モータが制御、駆動されるようになるものである。
【００３８】
したがって、通常は第１電子制御部からの熱がモータハウジング１１に伝えられ、第１電子制御部に異常や故障が生じると、第１電子制御部が停止して第２電子制御部が作動し、モータハウジング１１には第２電子制御部からの熱が伝えられるものである。
【００３９】
また、第１電子制御部と第２電子制御部を合せて正規の電子制御部として機能させ、一方の電子制御部に異常、故障が生じると、他方の電子制御部で半分の能力によって電動モータを制御、駆動することも可能である。この場合、電動モータの能力は半分となるが、いわゆる「パワーステアリング機能」は確保されるようになっている。したがって、通常の場合は、第１電子制御部と第２電子制御部の熱がモータハウジング１１に伝えられるものである。本実施形態は、後者の冗長系を採用しており、このため電源側ソケット１４Ａが対(２個)で設けられている。
【００４０】
図２にある通り、電子制御部９は、電力変換回路基板１６Ｓ、電源回路基板１７Ｓ、制御回路基板１８Ｓ、コネクタ本体３２から構成されており、端面壁部１５側から離れる方向に向かって、電力変換回路基板１６Ｓ、電源回路基板１７Ｓ、中間支持体２１、制御回路基板１８Ｓ、コネクタ本体３２の順序で、しかも積層される状態で配置されている。
【００４１】
制御回路基板１８Ｓに搭載された制御回路部は、電力変換回路基板１６Ｓのスイッチング素子(ＭＯＳＦＥＴ)を駆動する制御信号を生成する機能を有するもので、マイクロコンピュータ、周辺回路等から構成されている。
【００４２】
電源回路基板１７Ｓに搭載された電源回路部は、制御回路基板１８Ｓに搭載された制御回路部を駆動する電源及び電力変換回路基板１６Ｓに搭載された電力変換回路を駆動する電源を生成する機能を有するもので、コンデンサ、コイル、スイッチング素子等から構成されている。
【００４３】
電力変換回路基板１６Ｓに搭載された電力変換回路部は、電動モータのモータ巻線に流れる電力を調整する機能を有するもので、３相の上下アームを構成するスイッチング素子等から構成されている。
【００４４】
電子制御部９で発熱量が多いのは、主に電力変換回路部、電源回路部であり、電力変換回路部、電源回路部の熱は、アルミ合金からなるモータハウジング１１から放熱されるものである。
【００４５】
制御回路基板１８Ｓとカバーの間には、合成樹脂からなるコネクタ本体部１４が設けられており、車両電源(バッテリ)や外部の図示しない他の制御装置と接続されている。このコネクタ本体部１４は、電力変換回路基板１６Ｓ、電源回路基板１７Ｓ、制御回路基板１８Ｓと電気的に接続されていることはいうまでもない。
【００４６】
カバーは、電力変換回路基板１６Ｓ、電源回路基板１７Ｓ、制御回路基板１８Ｓを収納し、これらを液密的に封止する機能を備えているものであり、本実施形態ではモータハウジング１１に固定されている。
【００４７】
モータハウジング１１の端面壁部１５の表面には、電力変換回路部を構成する電力変換回路基板１６Ｓが設けられており、これにスイッチング素子等が表面実装されている。電力変換回路基板１６Ｓは、４個の固定ねじ１９によって端面壁部１５にねじ止め固定されている。
【００４８】
電力変換回路基板１６Ｓは、望ましくは金属基板で形成されているのが良く、これによってスイッチング素子等で発生した熱を端面壁部１５に効率良く放熱することができる。もちろんガラスエポキシ基板で作られていても良いものである。
【００４９】
モータハウジング１１の端面壁部１５の外周側の表面には、電動モータの回転軸の方向で端面壁部１５から遠ざかる方向に延びる突出固定部２０が形成されている。この突出固定部２０は、互いに向き合うように１８０°の角度をもって形成されている。
【００５０】
この突出固定部２０は、電源回路部を構成する電源回路基板１７Ｓの一部をその上面で支持する機能と、これも後述する中間支持材２１を固定する機能を備えている。また、突出固定部２０によって形成される空間は、電力変換回路部を構成するスイッチング素子等を収納する機能を備えている。更に、突出固定部２０の上面側には、後述する固定ねじ２７がねじ込まれる、ねじ孔が形成されている。
【００５１】
電源回路基板１７Ｓはガラスエポキシ基板で作られており、径方向で内側に後退し互いに向き合う一対の切り欠き部２２が形成されている。この切り欠き部２２の周縁領域は、突出固定部２０の上面に載置されて突出固定部２０で支持される。また、切り欠き部２２は、後述する中間支持体２１の中間固定部２３を収納するための機能を備えている。更に、電源回路基板１７Ｓの外周側の四隅には、後述する導通用固定ねじ２４が挿通される挿通孔２５が４個形成されている。
【００５２】
ここで、電力変換回路基板１６Ｓと電源回路基板１７Ｓとは、図３に示すようにフレキシブルコネクタ２６によって接続されている。フレキシブルコネクタ２６は、自由な状態に湾曲できる接続コネクタであり、電力変換回路基板１６Ｓと電源回路基板１７Ｓを平行に配置した状態で、電力変換回路基板１６Ｓと電源回路基板１７Ｓを接続することができる。
【００５３】
中間支持体２１は、径方向で内側に収納空間ＳＰが形成された環状の形状に形成されており、この収納空間ＳＰに電源回路基板１７Ｓに実装された電源回路を構成する電子部品や電気部品が収納される。また、中間支持体２１の外周には、電源回路基板１７Ｓの切り欠き部２２に収納され、更に突出固定部２０の上面に載置、固定される、一対の中間固定部２３が形成されている。
【００５４】
この中間支持体２１の中間固定部２３は挿通孔(図示せず)を有し、突出固定部２０に載置された状態で、固定ねじ２７を中間固定部２３の挿通孔を挿通し、中間固定部２３と突出固定部２０がねじ止め固定される。また、中間支持体２１の外周側の四隅には、電源回路基板１７Ｓに形成した導通孔２５に対応する位置に、導通用固定ねじ２４が挿通される挿通孔(図示せず、図４参照)が形成された挿通用突部２８が４個形成されている。
【００５５】
更に、中間支持体２１の収納空間ＳＰ側には、後述する制御回路基板１８Ｓがねじ止め固定される制御回路基板固定部２９が一対形成されており、中間制御回路基板固定部２９の上面には、ねじ孔が形成されている。
【００５６】
中間支持体２１は、合成樹脂や金属等で形成することができ、金属で形成した場合はヒートシンクとして利用できる。電源回路基板１７Ｓは、電力変換回路基板１６Ｓほど発熱はしないが、それでも発熱することに変わりなく、この熱は金属の中間支持体２１を介して突出固定部２０に放熱され、更にモータハウジング１１に放熱される。したがって、熱的に有利な構成とすることができる。
【００５７】
制御回路基板１８Ｓはガラスエポキシ基板で作られており、中間支持体２１に形成された制御回路基板固定部２９に対応した位置に、固定ねじ３０が挿通する挿通孔３１が形成されている。したがって、固定ねじ３０を挿通孔３１を挿通して制御回路基板固定部２９にねじ止め固定することで、制御回路基板１８Ｓは中間支持体２１に強固に固定される。ここで、電力変換回路基板１６Ｓと電源回路基板１７Ｓがフレキシブルコネクタ２６によって接続されているように、電源回路基板１７Ｓと制御回路基板１８Ｓとはフレキシブルコネクタ２６によって接続されている。
【００５８】
制御回路基板１８Ｓの上には、コネクタ本体３２が配置されている。コネクタ本体３２は合成樹脂で作られており、インサートモールドによってコネクタ端子が埋設されている。コネクタ端子は、電源に接続される電源側コネクタ端子３３や、舵角センサや回転センサ、或いはＣＡＮネットワークに接続されるセンサ/ネットワーク側コネクタ端子３４等からなっている。ここで、電子制御部９は冗長系に構成されているので、電源側コネクタ端子３３も冗長系とされている。
【００５９】
コネクタ本体３２の四隅には、段差部３５(図４参照)が形成されており、この段差部３５に電源側コネクタ端子３３を構成するコネクタ板３６が埋設されており、コネクタ板３６の一部が外部に露出する形態で配置されている。また、段差部３５の制御回路基板１８Ｓ側には、突出部３７が形成されており、この突出部３７は中間支持体２１の挿通用突部２８の上端側の孔部に係合して、中間支持体２１とコネクタ本体３２との位置決めを行なっている。また、突出部３７には図示しない挿通孔(図４参照)が形成されており、この挿通孔は、中間支持体２１の挿通用突部２８に形成した挿通孔の中心と一致する同心関係の形状とされている。
【００６０】
上述したコネクタ板３６は平板状で、コネクタ本体３２を形成する合成樹脂に埋設されているが、一部が外部に露出しており、この露出された部分の一部に挿通孔３８が形成されている。この挿通孔３８と挿通用突部２８の挿通孔とは、中心が一致する同心関係に配置される。したがって、導通用固定ねじ２４が、挿通用突部２８の挿通孔を通ってコネクタ板３６の挿通孔３８に至り、コネクタ板３６に導通用固定ねじ２４の先端がねじ込まれて固定される。
【００６１】
ここで、導通用固定ねじ２４は、「タッピングねじ」であり、また、コネクタ板３６の挿通孔３８は、穴加工されただけである。したがって、導通用固定ねじ２４は、挿通孔３８に対してねじを切りながら固定される。尚、コネクタ板３６の制御回路基板１８Ｓとは反対側は露出されているので、導通用固定ねじ２４をねじ込んでいく過程で障害となる合成樹脂が存在せず、円滑にねじを切っていくことができる。したがって、挿通孔３８のねじ切り工程を省略でき、製造コストを低減することができる。ただ、必要に応じて挿通孔３８に事前にねじを形成しておくことも可能である。
【００６２】
したがって、電源回路基板１７Ｓ、中間支持体２１、制御回路基板１８Ｓ、及びコネクタ本体３２は、導通用固定ねじ２４によって一体的に組み立て固定される。つまり、導通用固定ねじ２４は、電源回路基板１７Ｓに形成された挿通孔２５を挿通し、また中間支持体２１の挿通用突部２８の挿通孔を挿通し、更にコネクタ本体３２の突出部３７の挿通孔を挿通して、コネクタ板３６にねじ止めされる。
【００６３】
尚、制御回路基板１８Ｓは、事前に固定ねじ３０で中間支持体２１にねじ止め固定されているので、電源回路基板１７Ｓ、中間支持体２１、制御回路基板１８Ｓ、及びコネクタ本体３２は、導通用固定ねじ２４によって一体的に組み立て固定される。
【００６４】
ここで、電源回路基板１７Ｓの挿通孔２５の近傍には電源回路に接続される電源配線が形成されており、この電源配線は、導通用固定ねじ２４をコネクタ板３６にねじ止めした際に、導通用固定ねじ２４の頭部と電気的に接続される。したがって、コネクタ板３６から導通用固定ねじ２４の頭部を介して、電源から電源配線に電力が供給されることになる。
【００６５】
このように、導通用固定ねじ２４によって、電源回路基板１７Ｓの電源回路とコネクタ板３６を電気的に接続する共に、電源回路基板１７Ｓとコネクタ本体３２を固定できるので、コネクタ本体３２と電源回路基板１７Ｓの固定と電気的接続を行うための構成部品を削減でき、また、製造工程の工数も低減できるので、結果的に製品コストを下げることができる。
【００６６】
次に、上述した電子制御部９の組立工程について、図２を用いて簡単に説明する。
【００６７】
先ず、電力変換回路基板１６Ｓ、電源回路基板１７Ｓ、及び制御回路基板１８Ｓに必要とされる電子部品や電気部品を実装する。その後に、電力変換回路基板１６Ｓと電源回路基板１７Ｓとをフレキシブルコネクタ２６によって接続し、同様に、電源回路基板１７Ｓと制御回路基板１８Ｓとをフレキシブルコネクタ２６によって接続する。
【００６８】
次に、中間支持体２１の上面に、制御回路基板１８Ｓの挿通孔３１に固定ねじ３０を挿通して制御回路基板１８Ｓと中間支持体２１をねじ止め固定する。次に、導通用固定ねじ２４を電源回路基板１７Ｓの挿通孔２５に挿通し、更に中間支持体２１の挿通用突部２８の挿通孔に挿通した後に、コネクタ本体３２の突出部３７の挿通孔を挿通して、コネクタ板３６の挿通孔３８にタッピングによって導通用固定ねじ２４をねじ止め固定する。
【００６９】
この組立作業によって、電源回路基板１８Ｓ、中間支持体２１、制御回路基板１８Ｓ、及びコネクタ本体３２とが、導通用固定ねじ２４によって一体的に固定され、更に電源側コネクタ端子３３が、コネクタ板３６、及び導通用固定ねじ２４を介して電源回路基板１８Ｓの電源配線と電気的に接続される。
【００７０】
次に、電力変換回路基板１６Ｓを、モータハウジング１１の端面壁部１５に固定ねじ１９によってねじ止め固定し、最後に中間支持体２１の中間固定部２３を、端面壁部１５に形成した突出固定部２０にねじ止め固定する。この組み立て作業によって、電子制御部９がモータハウジング１１の端面壁部１５に固定されて、図３に示す形態となる。
【００７１】
次に、電子制御部９が組み立てられた状態の導通用固定ねじ２４付近の構成について更に図４を用いて説明する。
【００７２】
図４において、中間支持体２１の挿通用突部２８には、導通用固定ねじ２４が挿通される挿通孔３９が形成され、また、コネクタ本体３２の突出部３７には、これも導通用固定ねじ２４が挿通される挿通孔４０が形成されている。挿通孔３９と挿通孔４０とは中心線が一致しており、この中心線に沿って導通用固定ねじ２４が、ねじ込まれる。ここで、中間支持体２１を金属で形成する場合は、短絡を防ぐために導通用固定ねじ２４と挿通孔３９の内周面との間には所定の長さの隙間Ｇが形成されていることが重要である。
【００７３】
中間支持体２１の下端面には、電源回路基板１７Ｓが配置されており、電源回路基板１７Ｓの中間支持体２１とは反対側の面には、電源回路に接続された電源配線４１が形成されている。この電源配線４１の正極(＋)側と負極(−)側は、電源回路基板１７Ｓの挿通孔２５の近傍に「ランド」として配設されている。例えば、挿通孔２５の周囲を囲むように環状に形成されている。
【００７４】
更に、導通用固定ねじ２４の頭部２４Ｈと挿通孔２５の間には、導電性の平ワッシャ４２と導電性のばねワッシャ４３が配置されており、導通用固定ねじ２４の頭部２４Ｈと電源配線４１の正極(＋)側と負極(−)側とを電気的に接続している。尚、図４は一方の極側を断面したものである。
【００７５】
ここで、中間支持体２１の挿通用突部２８の上端面と、コネクタ本体３２の突出部３７の下端面の対向部は、「印籠嵌め」の構成となっており、これによって中間支持体２１とコネクタ本体３２とが正確に位置決めされている。
【００７６】
このように、電源回路基板１７Ｓ側から導通用固定ねじ２４を、挿通用突部２８の挿通孔３９、コネクタ本体３２の突出部３７の挿通孔４０に向けて差し込んで挿通させ、導通用固定ねじ２４の先端をコネクタ板３６の挿通孔３８にねじ込んでいくことで、コネクタ本体３２の突出部３７と電源回路基板１７Ｓとを挟持して、コネクタ本体３２、制御基板１８Ｓ、中間支持体２１、及び電源回路基板１７Ｓとを一体的に固定できる。
【００７７】
しかも、コネクタ板３６と電源配線４１の正極(＋)側と負極(−)側は、導通用固定ねじ２４、導電性のばねワッシャ４３、及び導電性の平ワッシャ４２を介して電気的に接続されるので、簡単な構成で電源から電源回路に電力を供給できる。
【００７８】
尚、上述した実施形態では、導通用固定ねじ２４は、電源回路基板側１７Ｓの側から挿通されているため、導通用固定ねじ２４の頭部２４Ｈと電源配線４１とが導通される形態となっている。このため、導通用固定ねじ２４の頭部２４Ｈは、電源回路基板１７Ｓに対して固定機能と電気的接続機能を有している。
【００７９】
一方、導通用固定ねじ２４が、コネクタ本体３２の側から挿通するような構成とすることもできる。この場合は、コネクタ板３６の挿通孔３８は、タッピングされない大きさに形成され、平ワッシャ４２の孔径を導通用固定ねじ２４の先端でタッピングできる大きさに形成されていれば良い。また、平ワッシャ４２は、リフロープロセスによって電源配線４１とハンダ固定することが可能である。そして、この場合は、導通用固定ねじ２４の頭部２４Ｈは、コネクタ本体３２に対して固定機能と電気的接続機能を有している。
【００８０】
ここで、平ワッシャ４２は、電源回路基板１８Ｓに固定される形態となることから、平ワッシャ４２に形成された孔は、電源回路基板１８Ｓに形成された挿通孔２５と同義となる。ただ、この場合は上述したように、平ワッシャ４２に形成された孔は、導通用固定ねじ２４によって、ねじ切り(タッピング)ができる内径に設定されている。
【００８１】
このように、コネクタ板３６の挿通孔３８に導通用固定ねじ２４を挿通して、導通用固定ねじ２４の先端を電源回路基板１８Ｓの平ワッシャ４２にねじ止めすることで、導通用固定ねじ２４の頭部２４Ｈとコネクタ板３６を電気的に接続し、更に導通用固定ねじ２４の先端と電源配線４１を電気的に接続すると共に、導通用固定ねじ２４によってコネクタ本体３２と電源回路基板１８Ｓを相互に固定することができる。
【００８２】
また導通用固定ねじを使用することにより、コネクタ本体と導通用固定ねじとの接触圧を、導通用固定ねじの締め付けトルクを変えるにより、容易に調整することができる。
【００８３】
上述した本実施形態では、導通用固定部材として、導通用固定ねじを使用したが、他の固定部材によっても同様の作用、効果を得ることができる。
【００８４】
図５は、固定ねじにの代わりに割ピンを使用した実施形態を示している。図５においていては、導通用固定ねじ２４に代えて導通用固定割ピン４４を使用している。そして、電源回路基板１７Ｓ側から導通用固定割ピン４４を、挿通用突部２８の挿通孔３９、コネクタ本体３２の突出部３７の挿通孔４０に向けて差し込んで挿通させ、導通用固定割りピン４４の先端部４４Ｓをコネクタ板３６の挿通孔３８を貫通した後に、先端部４４Ｓの夫々を外側に折り曲げていくことで、コネクタ本体３２の突出部３７と電源回路基板１７Ｓとを挟持して、コネクタ本体３２、制御基板１８Ｓ、中間支持体２１、及び電源回路基板１７Ｓとを一体的に固定できる。
【００８５】
しかも、コネクタ板３６と電源配線４１の正極(＋)側と負極(−)側は、導通用固定割ピン４４、導電性のばねワッシャ４３、及び導電性の平ワッシャ４２を介して電気的に接続されるので、簡単な構成で電源から電源回路に電力を供給できる。
【００８６】
尚、上述した実施形態では、導通用固定割ピン４４は、電源回路基板側１７Ｓの側から挿通されているため、導通用固定割ピン４４の頭部４４Ｈと電源配線４１とが導通される形態となっている。このため、導通用固定割ピン４４の頭部４４Ｈは、電源回路基板１７Ｓに対して固定機能と電気的接続機能を有している。
【００８７】
次に図６は、固定ねじの代わりに圧入式の固定ピンを使用した実施形態を示している。図６においていては、導通用固定ねじ２４に代えて導通用固定圧入ピン４５を使用している。そして、電源回路基板１７Ｓ側から導通用固定圧入ピン４５を、挿通用突部２８の挿通孔３９、コネクタ本体３２の突出部３７の挿通孔４０に向けて差し込んで挿通させ、導通用固定圧入ピン４５の先端部４５Ｓをコネクタ板３６の挿通孔３８を圧入して貫通する。ここで、導通用固定圧入ピン４５の先端４５Ｓには膨大部が形成され、この膨大部に変形用孔４５Ｔが開けられている。
【００８８】
したがって、導通用固定圧入ピン４５の先端部４５Ｓをコネクタ板３６の挿通孔３８を圧入すると、変形用孔４５Ｔが内側に変形して挿通孔３８を貫通し、その後に元の形状に復元される。このように、コネクタ本体３２の突出部３７と電源回路基板１７Ｓとを挟持して、コネクタ本体３２、制御基板１８Ｓ、中間支持体２１、及び電源回路基板１７Ｓとを一体的に固定できる。
【００８９】
しかも、コネクタ板３６と電源配線４１の正極(＋)側と負極(−)側は、導通用固定圧入ピン４５、導電性のばねワッシャ４３、及び導電性の平ワッシャ４２を介して電気的に接続されるので、簡単な構成で電源から電源回路に電力を供給できる。
【００９０】
尚、上述した実施形態では、導通用固定圧入ピン４５は、電源回路基板側１７Ｓの側から挿通されているため、導通用固定圧入ピン４５の頭部４５Ｈと電源配線４１とが導通される形態となっている。このため、導通用固定圧入ピン４５の頭部４５Ｈは、電源回路基板１７Ｓに対して固定機能と電気的接続機能を有している。
【００９１】
尚。図５、図６に示すように割りピンや圧入ピンを使用することもできるが、更にピンの先端が固定できるのであれば、種々の変形も可能である。
【００９２】
以上述べた通り、本発明によれば、電源に接続され挿通孔を有するコネクタ板をコネクタ本体に設けると共に、電源回路に接続される電源配線の近傍に導通用固定部材が挿通する挿通孔を電源回路基板に形成し、コネクタ板と電源回路基板の挿通孔に導通用固定部材を挿通して固定することで、導通用固定部材を介して電源配線とコネクタ板を電気的に接続すると共に、導通用固定部材によってコネクタ本体と電源回路基板を固定する構成とした。
【００９３】
これによれば、導通用固定部材によって、電源回路基板の電源回路とコネクタ板を電気的に接続する共に、電源回路基板とコネクタ本体を固定できるので、コネクタ本体と電源基板の固定と電気的接続を行うための構成部品を削減でき、また、製造工程の工数も低減できるので、結果的に製品コストを下げることができる。
【００９４】
尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００９５】
６…電動パワーステアリング装置、８…電動モータ部、９…電子制御部、１１…モータハウジング、１２…ピニオン、１３…カバー、１４…ソケット、１５…端面壁部、１６Ｓ…電力変換回路基板、１７Ｓ…電源回路基板、１８Ｓ…制御回路基板、１９…固定ねじ、２０…突出固定部、２１…中間支持体、２２…切り欠き部、２３…中間固定部、２４…導通用固定ねじ(導通用固定部材)、２４Ｈ…頭部、２５…挿通孔、２６…フレキシブルコネクタ、２７…固定ねじ、２８…挿通用突部、２９…制御回路基板固定部、３０…固定ねじ、３１…挿通孔、３２…コネクタ本体、３３…電源側コネクタ端子、３５…段差部、３６…コネクタ板、３７…突部、３８…挿通孔、３９…挿通孔、４０…挿通孔、４１…電源配線、４２…平ワッシャ、４３…ばねワッシャ。
【図１】
2020005480.tif 000003
【図２】
2020005480.tif 000004
【図３】
2020005480.tif 000005
【図４】
2020005480.tif 000006
【図５】
2020005480.tif 000007
【図６】
2020005480.tif 000008